【手続補正書】
【提出日】平成28年12月7日(2016.12.7)
【手続補正１】
【補正対象書類名】特許請求の範囲
【補正対象項目名】全文
【補正方法】変更
【補正の内容】
【特許請求の範囲】
【請求項１】
組織部位を治療する減圧システムにおいて、
前記組織部位に隣接して位置決めされかつ前記組織部位に減圧を分配するように適合されたマニホールドと；
内部表面および外部表面を有するシーリングドレープであって、前記内部表面は、前記マニホールドおよび前記組織部位を被覆して、前記シーリングドレープの前記内部表面と前記組織部位との間に密閉空間をもたらすように適合され、前記シーリングドレープは、さらに：
疎水性であり、かつ実質的に親水性成分のないシーリング材；および
前記シーリング材に関連付けられた吸収材であって、前記シーリング材が、前記シーリングドレープの前記内部表面と前記吸収材との間に位置決めされている、吸収材
を含むシーリングドレープと；
減圧を送達するように適合された減圧インターフェースであって、前記密閉空間および前記マニホールドと流体連通する減圧インターフェースと
を含むことを特徴とする、システム。
【請求項２】
請求項１に記載のシステムにおいて、前記マニホールドが第１の側面および第２の側面を有し、前記第１の側面は、前記組織部位に隣接して位置決めされるように適合され、および前記第２の側面は、前記シーリングドレープの前記内部表面に隣接して位置決めされるように適合されることを特徴とする、システム。
【請求項３】
請求項１に記載のシステムにおいて、前記減圧インターフェースと流体連通する減圧源をさらに含むことを特徴とする、システム。
【請求項４】
請求項１に記載のシステムにおいて、前記シーリングドレープが、前記組織部位を越えて延在し、かつ前記組織部位を取り囲む周囲面に重なり合うように適合され、および前記シーリングドレープの前記内部表面は、前記周囲面に隣接して位置決めされるように適合されていることを特徴とする、システム。
【請求項５】
請求項１に記載のシステムにおいて、前記吸収材が前記シーリング材に配置されていることを特徴とする、システム。
【請求項６】
請求項１に記載のシステムにおいて、前記吸収材が、前記シーリング材内に実質的に均一に配置されていることを特徴とする、システム。
【請求項７】
請求項５に記載のシステムにおいて、前記吸収材が複数の吸収性粒子を含むことを特徴とする、システム。
【請求項８】
請求項５に記載のシステムにおいて、前記吸収材が複数の吸収性繊維を含むことを特徴とする、システム。
【請求項９】
請求項１に記載のシステムにおいて、前記吸収材が、前記シーリング材の第１の層と第２の層との間に配置されたシート様の吸収層を含むことを特徴とする、システム。
【請求項１０】
請求項１に記載のシステムにおいて、前記吸収材が、前記シーリングドレープを通して吸収勾配をもたらすように構成されていることを特徴とする、システム。
【請求項１１】
請求項１に記載のシステムにおいて、前記吸収材を担持するキャリヤをさらに含み、前記キャリヤおよび前記吸収材は、前記シーリング材の第１の層と第２の層との間に配置されていることを特徴とする、システム。
【請求項１２】
請求項１１に記載のシステムにおいて、前記キャリヤが、疎水性ポリプロピレンシートを含むことを特徴とする、システム。
【請求項１３】
請求項１に記載のシステムにおいて、前記シーリングドレープの前記シーリング材に関連付けられた複数の吸収材をさらに含み、前記複数の吸収材の吸収能力は、前記シーリングドレープの前記内部表面から前記シーリングドレープの横断面を通る距離が増すにつれて、高くなることを特徴とする、システム。
【請求項１４】
請求項１に記載のシステムにおいて、前記吸収材が、相互接続された吸収性繊維、吸収性粒子、およびシート様の吸収層の三次元構造を含むことを特徴とする、システム。
【請求項１５】
請求項１に記載のシステムにおいて、前記シーリング材が流体透過性であることを特徴とする、システム。
【請求項１６】
請求項１に記載のシステムにおいて、前記シーリング材がエラストマー材料を含むことを特徴とする、システム。
【請求項１７】
請求項１に記載のシステムにおいて、前記シーリング材が疎水性シリコーンエラストマーを含むことを特徴とする、システム。
【請求項１８】
請求項１に記載のシステムにおいて、前記シーリングドレープの前記シーリング材が、前記吸収材に保持された流体を、前記シーリングドレープの前記外部表面を通して蒸発させるように適合されていることを特徴とする、システム。
【請求項１９】
組織部位を治療するためのシーリングドレープにおいて、
内部表面および外部表面であって、前記内部表面は、前記組織部位を取り囲む周囲面に隣接するように位置決めされかつ前記周囲面に重なり合い、前記シーリングドレープと前記組織部位との間に密閉空間をもたらすように適合される、内部表面および外部表面と；
実質的に親水性成分がない、流体透過性の疎水性材料を含むシーリング材と；
前記シーリング材内に配置された吸収材であって、前記シーリング材は、前記シーリングドレープの前記内部表面と前記吸収材との間に位置決めされており、前記吸収材は、前記シーリング材を通って伝えられた流体を吸収するように適合されている、吸収材と
を含むことを特徴とする、シーリングドレープ。
【請求項２０】
請求項１９に記載のシーリングドレープにおいて、前記吸収材が、前記シーリング材内で実質的に均一に配置されることを特徴とする、シーリングドレープ。
【請求項２１】
請求項１９に記載のシーリングドレープにおいて、前記吸収材が複数の吸収性粒子を含むことを特徴とする、シーリングドレープ。
【請求項２２】
請求項１９に記載のシーリングドレープにおいて、前記吸収材が複数の吸収性繊維を含むことを特徴とする、シーリングドレープ。
【請求項２３】
請求項１９に記載のシーリングドレープにおいて、前記吸収材が、前記シーリング材の第１の層と第２の層との間に配置されたシート様の吸収層を含むことを特徴とする、シーリングドレープ。
【請求項２４】
請求項１９に記載のシーリングドレープにおいて、前記吸収材が、前記シーリングドレープを通して吸収勾配をもたらすように構成されていることを特徴とする、シーリングドレープ。
【請求項２５】
請求項１９に記載のシーリングドレープにおいて、前記吸収材を担持するキャリヤをさらに含み、前記キャリヤおよび前記吸収材は、前記シーリング材の第１の層と第２の層との間に配置されていることを特徴とする、シーリングドレープ。
【請求項２６】
請求項２５に記載のシーリングドレープにおいて、前記キャリヤが、疎水性ポリプロピレンシートを含むことを特徴とする、シーリングドレープ。
【請求項２７】
請求項１９に記載のシーリングドレープにおいて、前記シーリングドレープの前記シーリング材内に配置された複数の吸収材をさらに含み、前記吸収材の吸収能力は、前記シーリングドレープの前記内部表面からの前記シーリングドレープの横断面を通る距離が増すにつれ、高まることを特徴とする、シーリングドレープ。
【請求項２８】
請求項１９に記載のシーリングドレープにおいて、前記吸収材が、相互接続された吸収性繊維、吸収性粒子、およびシート様の吸収層の三次元構造を含むことを特徴とする、シーリングドレープ。
【請求項２９】
請求項１９に記載のシーリングドレープにおいて、前記シーリング材がエラストマー材料を含むことを特徴とする、シーリングドレープ。
【請求項３０】
請求項１９に記載のシーリングドレープにおいて、前記シーリング材が疎水性シリコーンエラストマーを含むことを特徴とする、シーリングドレープ。
【請求項３１】
請求項１９に記載のシーリングドレープにおいて、前記シーリングドレープの前記シーリング材が、前記吸収材に保持された流体を、前記シーリングドレープの前記外部表面を通して蒸発させるように適合されていることを特徴とする、シーリングドレープ。
【請求項３２】
組織部位を治療するためのシーリングドレープの製造方法において、
疎水性でありかつ実質的に親水性成分がないシーリング材を提供するステップと；
吸収材を提供するステップと；
前記シーリング材内に前記吸収材を配置するステップと
を含むことを特徴とする、方法。
【請求項３３】
請求項３２に記載の方法において、前記シーリング材内に前記吸収材を配置する前記ステップが：
前記吸収材と前記シーリング材を一緒に混合して、前記シーリング材内で吸収材を実質的に均一に分散させるステップと；
前記混合物を硬化させるステップと
を含むことを特徴とする、方法。
【請求項３４】
請求項３３に記載の方法において、前記混合物からシート様の層を形成するステップをさらに含むことを特徴とする、方法。
【請求項３５】
請求項３３に記載の方法において、前記吸収材が複数の吸収性繊維を含むことを特徴とする、方法。
【請求項３６】
請求項３３に記載の方法において、前記吸収材が複数の吸収性粒子を含むことを特徴とする、方法。
【請求項３７】
請求項３２に記載の方法において、前記シーリング材の第１の層を提供するステップ、および前記シーリング材の第２の層を提供するステップをさらに含み、前記シーリング材内に前記吸収材を配置する前記ステップは、前記シーリング材の前記第１の層と前記シーリング材の前記第２の層との間に前記吸収材を位置決めすることを含むことを特徴とする、方法。
【請求項３８】
請求項３７に記載の方法において、前記吸収材がシート様の吸収層を含むことを特徴とする、方法。
【請求項３９】
請求項３２に記載の方法において、前記シーリング材の第１の層を提供するステップと、前記シーリング材の第２の層を提供するステップとをさらに含み、前記シーリング材内に前記吸収材を配置する前記ステップは：
キャリヤを提供するステップと；
前記キャリヤによって前記吸収材を担持するステップと；
前記シーリング材の前記第１の層と前記シーリング材の前記第２の層との間に前記キャリヤおよび前記吸収材を位置決めするステップと
を含むことを特徴とする、方法。
【請求項４０】
請求項３９に記載の方法において、前記キャリヤが疎水性ポリプロピレンシートを含むことを特徴とする、方法。
【請求項４１】
組織部位を治療する減圧システムにおいて、
前記組織部位に隣接して位置決めされかつ前記組織部位に減圧を分配するように適合されたマニホールドと；
内部表面および外部表面を有するシーリングドレープであって、前記内部表面は、前記組織部位を取り囲む周囲面に隣接するように位置決めされ、かつ前記マニホールドおよび前記組織部位を被覆して、前記内部表面と前記組織部位との間に密閉空間をもたらすように適合されており、前記シーリングドレープは、前記組織部位を越えて延在しかつ前記周囲面に重なり合うように適合されており、前記シーリングドレープは、さらに：
疎水性でありかつ実質的に親水性成分がないシーリング材；および
前記シーリング材に関連付けられた吸収材であって、前記シーリング材は、前記シーリングドレープの前記内部表面と前記吸収材との間に位置決めされている、吸収材
を含むシーリングドレープと；
減圧を送達するように適合された減圧インターフェースであって、前記密閉空間および前記マニホールドと流体連通している減圧インターフェースと
を含むことを特徴とする、減圧システム。